(57)【要約】【課題】目的地における特定の車両用の出入口を特定することができる地図情報生成装置、地図情報生成方法及び地図情報生成プログラムを提供する。【解決手段】地図情報生成装置は、少なくとも車両の走行位置に関する走行位置情報と、車両を識別するための識別情報と含み、同一の目的地に向かうプローブ情報を複数取得する取得部と、取得部が取得したプローブ情報に基づいて車両が道路を示すリンクから離脱した離脱地点を特定して、離脱地点群を生成する生成部と、識別情報に基づいて、離脱地点群が特定の車両によるリンクの離脱によって生成されたと判定した場合、離脱地点群の代表地点を、目的地における特定の車両用の出入口地点として、ナビゲーション用の地図情報に設定する設定部と、を備える。【選択図】図１
2020204532.tif 000002
【特許請求の範囲】
【請求項１】
少なくとも車両の走行位置に関する走行位置情報と、車両を識別するための識別情報と含み、同一の目的地に向かうプローブ情報を複数取得する取得部と、
前記取得部が取得した前記プローブ情報に基づいて車両が道路を示すリンクから離脱した離脱地点を特定して、離脱地点群を生成する生成部と、
前記識別情報に基づいて、前記離脱地点群が特定の車両による前記リンクからの離脱によって生成されたと判定した場合、前記離脱地点群の代表地点を、前記目的地における前記特定の車両用の出入口地点として、ナビゲーション用の地図情報に設定する設定部と、
を備える地図情報生成装置。
【請求項２】
前記プローブ情報には時刻情報が含まれ、
前記設定部は、前記プローブ情報に含まれる時刻情報に基づいて、所定の時間帯に、前記特定の車両が前記離脱地点群において前記リンクから離脱している場合、前記離脱地点群の代表地点を、前記目的地において前記所定の時間帯に利用できる前記特定の車両用の出入地点として、ナビゲーション用の地図情報に設定する
請求項１に記載の地図情報生成装置。
【請求項３】
前記設定部は、前記離脱地点群において前記リンクから離脱した車両の数が所定範囲内の場合、前記離脱地点群の代表地点を、前記目的地における前記特定の車両用の出入口地点として、ナビゲーション用の地図情報に設定する
請求項１又は２に記載の地図情報生成装置。
【請求項４】
目的地として設定される施設と、前記施設に関連する駐車場とを予め対応付けた対応関係を予め記憶する記憶部と、
目的地として前記施設が設定された場合、前記記憶部に記憶される前記対応関係に基づいて、前記施設に関連する前記駐車場を特定する特定部と、
前記プローブ情報に基づいて特定される離脱地点が前記特定部によって特定された前記駐車場に隣接していない場合、その離脱地点を前記離脱地点群から除外する除外部と、
を備える請求項１〜３のいずれか１項に記載の地図情報生成装置。
【請求項５】
コンピュータが、
少なくとも車両の走行位置に関する走行位置情報と、車両を識別するための識別情報と含み、同一の目的地に向かうプローブ情報を複数取得する取得ステップと、
前記取得ステップが取得した前記プローブ情報に基づいて車両が道路を示すリンクから離脱した離脱地点を特定して、離脱地点群を生成する生成ステップと、
前記識別情報に基づいて、前記離脱地点群が特定の車両による前記リンクからの離脱によって生成されと判定した場合、前記離脱地点群の代表地点を、前記目的地における前記特定の車両用の出入口地点として、ナビゲーション用の地図情報に設定する設定ステップと、
を実行する地図情報生成方法。
【請求項６】
前記プローブ情報には時刻情報が含まれ、
前記設定ステップは、前記プローブ情報に含まれる時刻情報に基づいて、所定の時間帯に、前記特定の車両が前記離脱地点群において前記リンクから離脱している場合、前記離脱地点群の代表地点を、前記目的地において前記所定の時間帯に利用できる前記特定の車両用の出入口地点として、ナビゲーション用の地図情報に設定する
請求項５に記載の地図情報生成方法。
【請求項７】
前記設定ステップは、前記離脱地点群において前記リンクから離脱した車両の数が所定範囲内の場合、前記離脱地点群の代表地点を、前記目的地における前記特定の車両用の出入口地点として、ナビゲーション用の地図情報に設定する
請求項５又は６に記載の地図情報生成方法。
【請求項８】
コンピュータが、
目的地として設定される施設と、前記施設に関連する駐車場とを予め対応付けた対応関係を予め記憶部に記憶する記憶ステップと、
目的地として前記施設が設定された場合、前記記憶ステップで記憶される前記対応関係に基づいて、前記施設に関連する前記駐車場を特定する特定ステップと、
前記プローブ情報に基づいて特定される離脱地点が前記特定ステップによって特定された前記駐車場に隣接していない場合、その離脱地点を前記離脱地点群から除外する除外ステップと、
を実行する請求項５〜７のいずれか１項に記載の地図情報生成方法。
【請求項９】
コンピュータに、
少なくとも車両の走行位置に関する走行位置情報と、車両を識別するための識別情報と含み、同一の目的地に向かうプローブ情報を複数取得する取得機能と、
前記取得機能が取得した前記プローブ情報に基づいて車両が道路を示すリンクから離脱した離脱地点を特定して、離脱地点群を生成する生成機能と、
前記識別情報に基づいて、前記離脱地点群が特定の車両による前記リンクからの離脱によって生成されたと判定した場合、前記離脱地点群の代表地点を、前記目的地における前記特定の車両用の出入口地点として、ナビゲーション用の地図情報に設定する設定機能と、
を実現させる地図情報生成プログラム。
【請求項１０】
前記プローブ情報には時刻情報が含まれ、
前記設定機能は、前記プローブ情報に含まれる時刻情報に基づいて、所定の時間帯に、前記特定の車両が前記離脱地点群において前記リンクから離脱している場合、前記離脱地点群の代表地点を、前記目的地において前記所定の時間帯に利用できる前記特定の車両用の出入口地点として、ナビゲーション用の地図情報に設定する
請求項９に記載の地図情報生成プログラム。
【請求項１１】
前記設定機能は、前記離脱地点群において前記リンクから離脱した車両の数が所定範囲内の場合、前記離脱地点群の代表地点を、前記目的地における前記特定の車両用の出入口地点として、ナビゲーション用の地図情報に設定する
請求項９又は１０に記載の地図情報生成プログラム。
【請求項１２】
コンピュータに、
目的地として設定される施設と、前記施設に関連する駐車場とを予め対応付けた対応関係を予め記憶部に記憶する記憶機能と、
目的地として前記施設が設定された場合、前記記憶機能で記憶される前記対応関係に基づいて、前記施設に関連する前記駐車場を特定する特定機能と、
前記プローブ情報に基づいて特定される離脱地点が前記特定機能によって特定された前記駐車場に隣接していない場合、その離脱地点を前記離脱地点群から除外する除外機能と、
を実現させる請求項９〜１１のいずれか１項に記載の地図情報生成プログラム。
【発明の詳細な説明】
【技術分野】
【０００１】
本発明は、地図情報生成装置、地図情報生成方法及び地図情報生成プログラムに関する。
【背景技術】
【０００２】
車両に搭載されるナビゲーション装置では、ドライバの利便性を高めるために、適切に目的に案内することが求められている。例えば、百貨店等の施設には、施設の利用者（一般ドライバ）が利用する駐車場（一般駐車場）と、施設に商品等を納入する業者等及び施設の従業員等（特定ドライバ）が利用する駐車場（特定駐車場）とが存在する場合がある。ナビゲーション装置には、経路案内の目的地として上記のような施設が設定された場合、ドライバの利便性を向上させるために、ドライバに応じて一般駐車場及び特定駐車場のいずれかに案内することが求められている。
特許文献１に記載された技術は、施設に複数の駐車場がある場合でも、運送会社が使用する車両（配送車両）のプローブ情報に基づいて、予め商品の配送に適した駐車場を特定しておき、次回、商品の配送時に、配送車両を予め特定した駐車場に案内する構成である。
【先行技術文献】
【特許文献】
【０００３】
【特許文献１】特開２０１２−１８４９７４号公報
【発明の概要】
【発明が解決しようとする課題】
【０００４】
車両に搭載されるナビゲーション装置には、ドライバの利便性を向上させるために、適切に目的地に案内することが求められている。例えば、ナビゲーション装置には、駐車台数が相対的に多い駐車場が目的地に設定された場合、その駐車場には隣接するが、駐車場の入口が無い地点に案内することを防ぎ、駐車場の入口に適切に案内することが要望されることがある。また、例えば、ナビゲーション装置には、上述したように、特定ドライバが運転する車両を特定駐車場に案内し、一般ドライバが運転する車両を一般駐車場に案内することが要望される。このため、ナビゲーション装置には、目的地の利用目的に適した駐車場の入口を把握することが求められる。
しかしながら、特許文献１に記載された技術は、商品の配送に適した駐車場へ案内するものであるが、駐車場の入口は把握しておらず、配送車両に対して駐車場の入口への案内は行っていない。
【０００５】
本発明は、目的地における特定の車両用の出入口を特定することができる地図情報生成装置、地図情報生成方法及び地図情報生成プログラムを提供することを目的とする。
【課題を解決するための手段】
【０００６】
一態様の地図情報生成装置は、少なくとも車両の走行位置に関する走行位置情報と、車両を識別するための識別情報と含み、同一の目的地に向かうプローブ情報を複数取得する取得部と、取得部が取得したプローブ情報に基づいて車両が道路を示すリンクから離脱した離脱地点を特定して、離脱地点群を生成する生成部と、識別情報に基づいて、離脱地点群が特定の車両によるリンクの離脱によって生成されたと判定した場合、離脱地点群の代表地点を、目的地における特定の車両用の出入口地点として、ナビゲーション用の地図情報に設定する設定部と、を備える。
【０００７】
一態様の地図情報生成装置では、プローブ情報には時刻情報が含まれ、設定部は、プローブ情報に含まれる時刻情報に基づいて、所定の時間帯に、特定の車両が離脱地点群においてリンクを離脱している場合、離脱地点群の代表地点を、目的地において所定の時間帯に利用できる特定の車両用の出入口地点として、ナビゲーション用の地図情報に設定することとしてもよい。特定の車両用の出入口は施設の営業時間の前後に利用される頻度が高いためである。また、特定の車両が施設に訪れる際は毎回同じ時間帯であると推測できるためである。
【０００８】
一態様の地図情報生成装置では、設定部は、離脱地点群からリンクを離脱した車両の数が所定範囲内の場合、離脱地点群の代表地点を、目的地における特定の車両用の出入口地点と特定して、ナビゲーション用の地図情報に設定することとしてもよい。特定の車両の数は一般ドライバが運転する車両の数に対して限定されるためである。
【０００９】
一態様の地図情報生成装置は、目的地として設定される施設と、施設に関連する駐車場とを予め対応付けた対応関係を予め記憶する記憶部と、目的地として施設が設定された場合、記憶部に記憶される対応関係に基づいて、施設に関連する駐車場を特定する特定部と、プローブ情報に基づいて特定される離脱地点が特定部によって特定された駐車場に隣接していない場合、その離脱地点を離脱地点群から除外する除外部と、を備えることとしてもよい。プローブ情報に目的地として施設が設定されている場合でも、その施設の駐車場を利用しないことがあるためである。
【００１０】
一態様の地図情報生成方法では、コンピュータが、少なくとも車両の走行位置に関する走行位置情報と、車両を識別するための識別情報と含み、同一の目的地に向かうプローブ情報を複数取得する取得ステップと、取得ステップが取得したプローブ情報に基づいて車両が道路を示すリンクから離脱した離脱地点を特定して、離脱地点群を生成する生成ステップと、識別情報に基づいて、離脱地点群が特定の車両によるリンクの離脱によって生成されたと判定した場合、離脱地点群の代表地点を、目的地における特定の車両用の出入口地点として、ナビゲーション用の地図情報に設定する設定ステップと、を実行する。
【００１１】
一態様の地図情報生成プログラムは、コンピュータに、少なくとも車両の走行位置に関する走行位置情報と、車両を識別するための識別情報と含み、同一の目的地に向かうプローブ情報を複数取得する取得機能と、取得機能が取得したプローブ情報に基づいて車両が道路を示すリンクから離脱した離脱地点を特定して、離脱地点群を生成する生成機能と、識別情報に基づいて、離脱地点群が特定の車両によるリンクの離脱によって生成されたと判定した場合、離脱地点群の代表地点を、目的地における特定の車両用の出入口地点として、ナビゲーション用の地図情報に設定する設定機能と、を実現させる。
【発明の効果】
【００１２】
一態様の地図情報生成装置は、同一の目的地に向かうプローブ情報を複数取得し、プローブ情報に基づいて離脱地点を特定して離脱地点群を生成し、プローブ情報に含まれる識別情報に基づいて離脱地点群が特定の車両によって生成されたと判定された場合、離脱地点群の代表地点を、目的地における特定の車両用の出入口地点として、ナビゲーション用の地図情報に設定することによって、目的地における特定の車両用の出入口を特定することができる。
また、一態様の地図情報生成方法及び地図情報生成プログラムは、上述した一態様の地図情報生成装置と同様の効果を奏することができる。
【図面の簡単な説明】
【００１３】
【図１】一実施形態に係る地図情報生成システムについて説明するための図である。
【図２】一実施形態に係る地図情報生成装置について説明するためのブロック図である。
【図３】離脱地点及び離脱地点群について説明するための第１の図である。
【図４】離脱地点及び離脱地点群について説明するための第２の図である。
【図５】一実施形態に係る地図情報生成方法について説明するフローチャートである。
【図６】変形例に係る地図情報生成装置について説明するためのブロック図である。
【発明を実施するための形態】
【００１４】
以下、本発明の一実施形態について説明する。
図１は、一実施形態に係る地図情報生成システムについて説明するための図である。
【００１５】
地図情報生成システム１は、車両１０、サーバ２０及び地図情報生成装置３０を備える。
車両１０は、自車のプローブ情報を取得してサーバ２０に送信する。図１には１台の車両１０のみ記載するが、車両１０は複数台であってよい。
サーバ２０は、例えば、複数のプローブ情報を記憶する。具体的には、サーバ２０は、１又は複数の車両１０から送信された複数のプローブ情報を記憶する。
【００１６】
地図情報生成装置３０は、例えば、いわゆるビックデータの処理に適した、相対的に多数の情報を処理することができる装置である。
地図情報生成装置３０は、例えば、目的地の出入口（一例として、駐車場の入口）を推定する。なお、地図情報生成装置３０は、駐車場の入口を推定する技術（詳細は後述する）を利用することにより、駐車場の出口を推定することも可能である。また、地図情報生成装置３０は、駐車場に限らず、車両１０が進入する種々の施設の入口又は出口を推定することも可能である。種々の施設の一例は、遊園地、テーマパーク及び城跡等の、相対的に広い敷地内に駐車場がある施設あって、後述する一般ドライバが運転する車両の出入口、及び、後述する特定ドライバが運転する車両の出入口がある施設であってよい。
【００１７】
車両１０に搭載されるナビゲーション装置（図示せず）は、目的地が設定された場合に、その目的地までの経路を案内する。ナビゲーション装置は、例えば、地図情報に駐車場の入口が設定されていない場合、駐車場には隣接するが、駐車場の入口から離れた地点に案内する恐れがある。
このような課題を解決するために、地図情報生成装置３０は、地図情報を生成する場合に、車両１０が道路を示すリンクから離脱する地点（離脱地点）を取得して、その離脱地点を目的地の出入口（一例として、駐車場の入口）と特定する。
【００１８】
ここで、施設（駐車場）を利用するドライバは、その施設を利用する顧客等（以下、「一般ドライバ」という。）ではなく、施設に関連する業者（一例として、商品の納入業者）及び施設の従業員（以下、「特定ドライバ」という。）の可能性がある。特定ドライバは、一般ドライバが利用する駐車場（以下、「一般駐車場」という。）ではなく、例えば、搬入口を利用することができる業者用の駐車場及び従業員用の駐車場（以下、「特定駐車場」という。）を利用する。
一例として、地図情報生成装置３０は、車両１０に搭載されるナビゲーション装置によってドライバを駐車場の入口へ案内する場合、一般ドライバを特定駐車場の入口へ案内することを抑制するために、又は、特定ドライバを特定駐車場の入口に案内するために、特定駐車場の入口を特定する構成である。
【００１９】
次に、地図情報生成装置３０について詳細に説明する。
図２は、一実施形態に係る地図情報生成装置について説明するためのブロック図である。
図３は、離脱地点及び離脱地点群について説明するための第１の図である。
図４は、離脱地点及び離脱地点群について説明するための第２の図である。
【００２０】
図２に示すように、地図情報生成装置３０は、通信部３１、記憶部３２、取得部３３、生成部３４、設定部３５、特定部３６及び除外部３７を備える。取得部３３、生成部３４、設定部３５、特定部３６及び除外部３７は、地図情報生成装置３０の制御部の機能として実現されてもよい。
【００２１】
通信部３１は、例えば、通信ネットワークを介して、サーバ２０又は車両１０と通信する。通信部３１は、地図情報生成装置３０（取得部３３）の制御に基づいて、一例として、サーバ２０から複数のプローブ情報を取得する。なお、通信部３１は、車両１０から送信されたプローブ情報を受信することとしてもよい。
【００２２】
記憶部３２は、種々の情報及びプログラム等を記憶する装置である。
記憶部３２は、一例として、目的地として設定される施設と、施設に関連する駐車場とを予め対応付けた対応関係を予め記憶する。目的地として設定される施設は、例えば、ナビゲーション装置（図示せず）において案内経路の目的地として設定される施設である。駐車場は、その施設の利用者が利用可能な駐車場である。
【００２３】
取得部３３は、同一の目的地に向かうプローブ情報を複数取得する。取得部３３は、例えば、駐車場の入口を推定したい地域内に目的地が設定されているプローブ情報を取得する。
プローブ情報は、少なくとも走行位置情報及び識別情報を含む。走行位置情報は、車両１０の走行位置に関する情報である。識別情報は、車両１０を識別するための情報（車両ＩＤ）である。また、プローブ情報は、時刻情報を含むこととしてもよい。
【００２４】
ここで、車両１０は、プローブ情報を生成する場合、ナビゲーション装置で設定される目的地をプローブ情報に記録する。車両１０は、例えば、ナビゲーション装置が利用される場合、走行位置情報に基づいて、道路を示すリンクから離脱した地点（座標）をプローブ情報に記録する。
【００２５】
具体的な一例として、車両１０は、以下のようにプローブ情報を取得する。
車両１０は、例えば、ＧＮＳＳ（Ｇｌｏｂａｌ  Ｎａｖｉｇａｔｉｏｎ  Ｓａｔｅｌｌｉｔｅ  Ｓｙｓｔｅｍ：全球測位衛星システム）を利用することにより、車両１０の走行位置情報を記録することができる。車両１０は、連続的又は間欠的に位置情報を取得することにより、車両１０が走行した経路の位置情報（走行位置情報）をプローブ情報に記録することができる。
車両１０は、自車と他車とを識別するための車両ＩＤ（識別情報）をプローブ情報に記録する。
車両１０は、例えば、走行位置情報を取得（又は、走行位置情報をプローブ情報として記録）した時の時刻に関する情報（時刻情報）をプローブ情報に記録する。
なお、プローブ情報に記録される情報は、上記の一例に限らず、ワイパーのオン・オフに関する情報、前照灯のオン・オフに関する情報、及び。車両に配される種々のセンサで取得された情報を含んでいてもよい。
【００２６】
生成部３４は、取得部３３が取得したプローブ情報に基づいて車両１０が道路を示すリンクから離脱した離脱地点を特定して、離脱地点群を生成する。生成部３４は、例えば、取得部３３によって取得された複数のプローブ情報に基づいて、図３に例示するように、同一（又は、同一とみなすことができる）目的地Ｄ１〜Ｄ４をグループ化してグループＧ１を生成する。より具体的な一例としては、生成部３４は、ナビゲーション装置において目的地として施設が設定されている場合には、その施設毎にグループ化する。また、より具体的な一例としては、生成部３４は、ナビゲーション装置において目的地として座標が設定されている場合には、所定の範囲（所定距離）内の座標をグループ化する。また、生成部３４は、グループ化した目的地Ｄ１〜Ｄ４が記録されるプローブ情報に基づいて、道路を示すリンクＬから車両１０が離脱した地点（離脱地点Ｐ１〜Ｐ４）を特定し、特定した離脱地点Ｐ１〜Ｐ４をグループ化して離脱地点群Ｇ２を生成する（図３参照）。
【００２７】
なお、生成部３４は、図４に例示するように、所定範囲（所定距離）内にある複数の離脱地点Ｐ５〜Ｐ６，Ｐ７〜Ｐ８をまとめることにより、同一の目的地Ｄ５〜Ｄ８に対して、複数の離脱地点群Ｇ４，Ｇ５を生成することとしてもよい。すなわち、生成部３４は、例えば、同一の目的地Ｄ５〜Ｄ８をグループ化してグループＧ３を生成する。生成部３４は、例えば、目的地Ｄ５〜Ｄ８が記録されるプローブ情報に基づいて離脱地点Ｐ５〜Ｐ８を特定し、所定範囲内にある離脱地点Ｐ５〜Ｐ６をグループ化して離脱地点群Ｇ４を生成すると共に、所定範囲内にある離脱地点Ｐ７〜Ｐ８をグループ化して離脱地点群Ｇ５を生成することとしてもよい。
【００２８】
特定部３６は、目的地として施設が設定された場合、記憶部３２に記憶される対応関係に基づいて、施設に関連する駐車場を特定する。一例として、百貨店、ホテル及びテーマパーク等の施設は、その施設の近隣に駐車場を設置している場合がある。上述したように、記憶部３２には、施設と、その施設に関連する駐車場との対応関係が予め記憶されている。特定部３６は、目的地としての施設がプローブ情報に記録されている場合、記憶部３２に記憶される対応関係に基づいて、その施設の駐車場を特定する。特定部３６は、例えば、目的地として座標が設定されている場合でも、座標と施設とが予め対応付けられていれば、座標に基づいて施設の駐車場を特定することができる。
【００２９】
除外部３７は、プローブ情報に基づいて特定される離脱地点が特定部３６によって特定された駐車場に隣接していない場合、その離脱地点を離脱地点群から除外する。ドライバは、ナビゲーション装置に目的地を設定する場合、例えば、本来の目的地ではなく、近隣の有名な施設を目印として目的地に設定することがある。すなわち、プローブ情報に目的地として施設が記録される場合でも、その施設に関連する駐車場に車両１０が入らないようなときである。このような場合の離脱地点は、生成部３４で生成される離脱地点群から除外する必要がある。このため、除外部３７は、施設に関連する駐車場と、離脱地点とが隣接していない場合、その離脱地点を離脱地点から除外する。図３に一例を示す場合には、除外部３７は、目的地Ｄ４と、それに対応する離脱地点Ｐ４とが隣接してないため、離脱地点群Ｇ２から離脱地点Ｐ４を除外する。目的地と離脱地点とが隣接しているか否かは、例えば、目的地と離脱地点とが所定距離以上離れている場合、目的地と離脱した方向とが道路の反対側になる場合、又は、目的地と離脱地点とが道路地図における異なるブロックにある場合等に基づいて、除外部３７によって適宜判定することができる。
【００３０】
設定部３５は、識別情報に基づいて、離脱地点群が特定の車両による道路を示すリンクからの離脱によって生成されたと判定した場合、離脱地点群を、目的地における特定の車両用の出入口と特定して、ナビゲーション用の地図情報に設定する。
一般のドライバが利用する一般駐車場の入口には、不特定多数の車両が進入すると考えられる。一方、特定ドライバが利用する特定駐車場の入口には、その特定ドライバが運転する車両（特定の車両）のみが進入し、一般ドライバが運転する車両（不特定多数の車両）は進入しないと考えられる。
設定部３５は、識別情報に基づいて、１又は複数の特定の車両によって生成された離脱地点によって構成される離脱地点群を特定駐車場の入口と推定する。
【００３１】
図３に例示する場合では、離脱地点Ｐ１〜Ｐ３は、離脱地点群Ｇ２を構成する。このような例示の場合、設定部３５は、識別情報に基づいて、離脱地点Ｐ１〜Ｐ３が特定の車両により生成されたと判定される場合、離脱地点群Ｇ２の代表地点を、目的地における特定の車両用の出入口地点（一例として、特定駐車場の入口地点）と特定する。代表地点は、例えば、離脱地点群を構成する複数の離脱地点のうちの任意の１つであってもよく、又は、離脱地点群を構成する複数の離脱地点の重心となる位置若しくは複数の離脱地点の中央位置であってもよい。また、代表地点は、例えば、離脱地点群の中央位置又は任意の位置であってもよい。
なお、設定部３５は、離脱地点群を構成する複数の離脱地点に、特定ドライバが運転する車両によって生成された離脱地点と、一般ドライバが運転する車両によって生成された離脱地点とが含まれる場合、一般ドライバが運転する車両によって生成された離脱地点を離脱地点群から削除することとしてもよい。
【００３２】
図４に例示する場合、設定部３５は、離脱地点群Ｇ４を構成する複数の離脱地点Ｐ５〜Ｐ６が、プローブ情報に記録される識別情報に基づいて特定の車両（特定ドライバが運転する車両）の離脱地点によって生成されたと判定する場合、離脱地点群Ｇ４の代表地点を、目的地における特定の車両用の出入口地点（一例として、特定駐車場の入口地点）と特定する。
ここで、設定部３５は、図４に例示する場合、離脱地点群Ｇ５を構成する複数の離脱地点Ｐ７〜Ｐ８が、プローブ情報に記録される識別情報に基づいて不特定多数の車両（一般ドライバが運転する車両）によって生成されたと判定する場合、離脱地点群Ｇ５の代表地点を、目的地における一般ドライバが利用する車両の出入口地点（一般駐車場の入口地点）と特定することとしてもよい。
又は、設定部３５は、離脱地点群Ｇ５を構成する離脱地点Ｐ７〜Ｐ８が、一般ドライバが運転する車両によって生成されたと判定する場合、離脱地点群Ｇ５（離脱地点Ｐ７〜Ｐ８）を削除することとしてもよい。
【００３３】
設定部３５は、離脱地点群Ｇ２，Ｇ４の代表地点を、プローブ情報に記録される目的地に対応する、特定の車両用の最終案内地点として地図情報に設定する。一方、設定部３５は、離脱地点群Ｇ５の代表地点を、プローブ情報に記録される目的地に対応する、一般ドライバが運転する車両用の最終案内地点として地図情報に設定することとしてもよい。設定部３５は、例えば、最終案内地点を設定した地図情報を記憶部３２に記憶する。
【００３４】
設定部３５は、プローブ情報に含まれる時刻情報に基づいて所定の時間帯に、特定の車両が離脱地点群において道路を示すリンクを離脱している場合、離脱地点群の代表地点を、目的地において所定の時間帯に利用できる特定の車両用の出入口地点と特定して、ナビゲーション用の地図情報に設定することとしてもよい。設定部３５は、時刻情報に基づいて、車両１０が道路を示すリンクから離脱した日時、すなわち、離脱地点が生成された日時を取得することとしてもよい。設定部３５は、所定の時間帯に、１又は複数の車両１０の離脱地点が生成されている場合、例えば、その離脱地点を含む離脱地点群の代表地点を、その車両１０（特定の車両）が利用する特定駐車場の入口地点と特定する。
又は、設定部３５は、時刻情報に基づいて、特定の車両によって離脱地点が生成された時間が所定の時間帯であるかを判定することとしてもよい。この場合の所定の時間帯は、例えば、目的地の施設の営業時間外の時間帯等であってよい。具体的な一例として、所定の時間帯は、百貨店が１０時〜２０時の間で営業している場合には、８時〜１０時の時間帯が予め設定されている。所定の時間帯は、適宜、予め設定されることとしてもよい。
【００３５】
設定部３５は、離脱地点群からリンクを離脱した車両１０の数が所定範囲内の場合、離脱地点群の代表地点を、目的地における特定の車両用の出入口地点と特定して、ナビゲーション用の地図情報に設定することとしてもよい。
施設の利用者（一般ドライバ）が利用する一般駐車場の入口には、相対的に多数の車両が進入すると考えられる。一方、特定ドライバが利用する特定駐車場の入口には、特定ドライバが運転する車両のみが進入するため、相対的に少数の車両が進入すると考えられる。
設定部３５は、離脱地点群を構成する離脱地点の数が所定範囲（所定数）内の場合、その離脱地点群の代表地点を、目的地における特定の車両用の出入口地点（一例として、特定駐車場の入口地点）と特定する。所定範囲は、例えば、特定駐車場に進入する車両の数、及び、特定の車両が特定駐車場に進入する頻度等に応じて、適宜設定される。より具体的には、所定範囲は、例えば、第１の所定数以上であり、且つ、第２の所定数（第２の所定数＞第１の所定数）以下であってよい。また、所定範囲は、例えば、プローブ情報の数の第１の割合以上であり、プローブ情報の数の第２の割合（第２の割合＞第１の割合）以下であってもよい。
【００３６】
地図情報生成装置３０は、例えば、上記のように記憶部３２に記憶された地図情報を、通信部３１を介して車両１０に送信し、その地図情報を車両１０のナビゲーション装置で利用させるようにしてもよい。
また、地図情報生成装置３０は、例えば、地図情報を外部メモリ又は光ディスク等の記録媒体に記録してもよい。この場合、車両１０は、記録媒体に記録される地図情報を読み込んで、地図情報をナビゲーション装置で利用することとしてもよい。
【００３７】
次に、本実施形態の地図情報生成方法について説明する。
図５は、一実施形態に係る地図情報生成方法について説明するフローチャートである。
【００３８】
ステップＳＴ１０１において、取得部３３は、同一の目的地に向かうプローブ情報を複数取得する。取得部３３は、例えば、駐車場の入口を推定したい地域内に目的地が設定されているプローブ情報を取得する。
【００３９】
ステップＳＴ１０２において、生成部３４は、ステップＳＴ１０１で取得したプローブ情報に基づいて車両１０が道路を示すリンクから離脱した離脱地点を特定して、離脱地点群を生成する。生成部３４は、例えば、プローブ情報に記録される車両１０の目的地毎にその目的地をグループ化し、そのグループ化した目的地に対応する離脱地点で離脱地点群を生成する。
【００４０】
ステップＳＴ１０３において、特定部３６は、目的地として施設が設定された場合、記憶部３２に記憶される対応関係に基づいて、施設に関連する駐車場を特定する。
【００４１】
ステップＳＴ１０４において、除外部３７は、プローブ情報に基づいて特定される離脱地点と、ステップＳＴ１０３で特定された駐車場とが隣接しているかを判定する。離脱地点と駐車場とが隣接していない場合（Ｎｏ）、処理は、ステップＳＴ１０５に進む。離脱地点と駐車場とが隣接する場合（Ｙｅｓ）、処理は、ステップＳＴ１０６に進む。
【００４２】
ステップＳＴ１０５において、除外部３７は、離脱地点群から特定の離脱地点（図３に例示する場合では、離脱地点Ｐ４）を除外する。
【００４３】
ステップＳＴ１０６において、設定部３５は、ステップＳＴ１０１で取得されたプローブ情報に記録される識別情報に基づいて、離脱地点群を構成する離脱地点が特定の車両によって生成されたかを判定する。
特定ドライバは、例えば、特定駐車場の出入口を利用すると考えられる。一方、一般ドライバは、例えば、一般駐車場の出入口を利用すると考えられる。
設定部３５は、例えば、特定ドライバが利用する特定駐車場の出入口を推定するために、識別情報に基づいて、ステップＳＴ１０２で生成された離脱地点群を構成する離脱地点が限られた車両（特定の車両）によって生成されたものかを判定する。離脱地点が特定の車両によって生成されている場合（Ｙｅｓ）、処理は、ステップＳＴ１０７に進む。離脱地点が特定の車両によって生成されていない場合（Ｎｏ）、処理は、ステップＳＴ１１０に進む。
【００４４】
ステップＳＴ１０７において、設定部３５は、ステップＳＴ１０１で取得されたプローブ情報に記録される時刻情報に基づいて、所定の時間帯に、特定の車両によって離脱地点が生成されているかを判定する。
特定ドライバは、ある程度決まった時間帯（所定の時間帯）に特定駐車場へ進入すると考えられる。設定部３５は、目的地の出入口に進入する車両１０（離脱地点を生成した車両１０）が特定の車両かを判定するために、所定の時間帯に特定の車両によって離脱地点が生成されているかを判定する。離脱地点が生成されたのが所定の時間帯の場合（Ｙｅｓ）、処理は、ステップＳＴ１０８に進む。離脱地点が生成されたのが所定の時間帯ではない場合（Ｎｏ）、処理は、ステップＳＴ１１０に進む。
【００４５】
ステップＳＴ１０８において、設定部３５は、離脱地点群を構成する離脱地点を生成した車両１０の数が所定範囲内であるか判定する。
例えば、一般ドライバが利用する一般駐車場の入口には、相対的に多数の車両が進入すると考えられる。一方、例えば、特定ドライバが利用する特定駐車場の入口には、特定の車両のみが進入するため、相対的に少数の車両が進入すると考えられる。
設定部３５は、目的地の出入口に進入する車両１０（離脱地点を生成した車両１０）が特定の車両かを判定するために、離脱地点を生成した車両１０の数（離脱地点群を構成する離脱地点の数）が所定範囲（所定数）内であるかを判定する。車両１０の数が所定範囲内の場合（Ｙｅｓ）、処理は、ステップＳＴ１０９に進む。車両１０の数が所定範囲内ではない場合（Ｎｏ）、処理は、ステップＳＴ１１０に進む。
なお、実施形態によっては、ステップＳＴ１０７とステップＳＴ１０８のうち少なくとも１つの処理は、実行されなくともよい。
【００４６】
ステップＳＴ１０９において、設定部３５は、ステップＳＴ１０２で生成された離脱地点群の代表地点を、目的地における特定の車両用の出入口地点（一例として、特定駐車場の入口地点）として、ナビゲーション用の地図情報に設定する。
【００４７】
ステップＳＴ１１０において、設定部３５は、ステップＳＴ１０２で生成された離脱地点群を、一般ドライバが運転する車両の目的地の出入口（一例として、一般駐車場の入口）、すなわち、特定駐車場の入口ではないと推定して、ナビゲーション用の地図情報に設定する。
【００４８】
次に、本実施形態の効果を説明する。
地図情報生成装置３０は、同一の目的地に向かうプローブ情報を複数取得する取得部３３と、プローブ情報に基づいて車両１０が道路を示すリンクから離脱した離脱地点を特定して、離脱地点群を生成する生成部３４と、識別情報に基づいて、離脱地点群が特定の車両によるリンクの離脱によって生成されと判定した場合、離脱地点群の代表地点を、目的地おける特定の車両用の出入口地点として、ナビゲーション用の地図情報に設定する設定部３５と、を備える。
これにより、地図情報生成装置３０は、離脱地点に基づいて、目的地における特定の車両用の出入口（一例として、特定駐車場の入口）として地図情報に設定することができる。
車両１０に搭載されるナビゲーション装置は、地図情報生成装置３０によって特定駐車場の入口を特定しているため、地図情報を利用することにより、特定ドライバを特定駐車場の入口に案内することができ、一般ドライバを特定駐車場の入口に案内することを抑制することができる。すなわち、ナビゲーション装置は、ドライバの利便性を高めることができる。
【００４９】
地図情報生成装置３０では、設定部３５は、プローブ情報に含まれる時刻情報に基づいて、所定の時間帯に、特定の車両が離脱地点群においてリンクを離脱している場合、離脱地点群の代表地点を、目的地において所定の時間帯に利用できる特定の車両用の出入口地点と特定して、ナビゲーション用の地図情報に設定することとしてもよい。
特定ドライバは、例えば、目的地としての施設への商品の納入時間、及び、出勤時間等に応じて、所定の時間帯に目的地の出入口を利用する（一例として、特定駐車場の入口に進入する）可能性がある。このため、地図情報生成装置３０は、離脱地点が生成された時間が所定の時間帯の場合、その離脱地点を生成したのが、特定ドライバが運転する車両であるとして、目的地における特定の車両用の出入口を特定することができる。
【００５０】
地図情報生成装置３０では、設定部３５は、離脱地点群から道路を示すリンクを離脱した車両１０の数が所定範囲内の場合、離脱地点群の代表地点を、目的地における特定の車両用の出入口地点と特定して、ナビゲーション用の地図情報に設定することとしてもよい。
例えば、一般ドライバが利用する一般駐車場の入口には、相対的に多数の車両が進入すると考えられる。一方、例えば、特定ドライバが利用する特定駐車場の入口には、特定の車両のみが進入するため、相対的に少数の車両が進入すると考えられる。
このため、地図情報生成装置３０は、離脱地点群を構成する離脱地点の数が所定範囲（所定数）内の場合、その離脱地点を生成したのが、特定ドライバが運転する車両であるとして、目的地における特定の車両用の出入口地点を特定することができる。
【００５１】
地図情報生成装置３０は、目的地として設定される施設と、その施設に関連する駐車場とを予め対応付けた対応関係を予め記憶する記憶部３２と、目的地として施設が設定された場合、記憶部３２に記憶される対応関係に基づいて、施設に関連する駐車場を特定する特定部３６と、プローブ情報に基づいて特定される離脱地点が特定部３６によって特定された駐車場に隣接していない場合、その離脱地点を離脱地点群から除外する除外部３７と、を備えることとしてもよい。
ドライバは、ナビゲーション装置に目的地を設定する場合、例えば、本来の目的地ではなく、近隣の有名な施設を目印として目的地に設定することがある。このため、地図情報生成装置３０は、施設に関連する駐車場と、離脱地点とが隣接していない場合、その離脱地点を離脱地点から除外する。
すなわち、地図情報生成装置３０は、目的地としての施設に関連する駐車場ではない離脱地点をノイズとして除去することができる。よって、車両１０に搭載されるナビゲーション装置は、目的地として適切な位置までの経路を案内することができ、ユーザの利便性を高めることができる。
【００５２】
地図情報生成方法では、コンピュータが、同一の目的地に向かうプローブ情報を複数取得する取得ステップと、プローブ情報に基づいて車両１０が道路を示すリンクから離脱した離脱地点を特定して、離脱地点群を生成する生成ステップと、識別情報に基づいて、離脱地点群が特定の車両によるリンクの離脱によって生成されたかを判定した場合、離脱地点群の代表地点を、目的地における特定の車両用の出入口と特定して、ナビゲーション用の地図情報に設定する設定ステップと、を実行する。
これにより、地図情報生成方法は、離脱地点に基づいて、目的地における特定の車両用の出入口（一例として、特定駐車場の入口）として、その離脱地点を地図情報に設定することができる。
車両１０に搭載されるナビゲーション装置は、地図情報生成方法によって特定駐車場の入口を特定しているため、地図情報を利用することにより、特定ドライバを特定駐車場の入口に案内することができ、一般ドライバを特定駐車場の入口に案内することを抑制することができる。すなわち、ナビゲーション装置は、ドライバの利便性を高めることができる。
【００５３】
地図情報生成プログラムは、コンピュータに、同一の目的地に向かうプローブ情報を複数取得する取得機能と、プローブ情報に基づいて車両１０が道路を示すリンクから離脱した離脱地点を特定して、離脱地点群を生成する生成機能と、識別情報に基づいて、離脱地点群が特定の車両によるリンクの離脱によって生成されたと判定した場合、離脱地点群の代表地点を、目的地における特定の車両用の出入口として、ナビゲーション用の地図情報に設定する設定機能と、を実現させる。
これにより、地図情報生成プログラムは、離脱地点を目的地における特定の車両用の出入口（一例として、特定駐車場の入口）として、地図情報に設定することができる。
車両１０に搭載されるナビゲーション装置は、地図情報生成プログラムによって特定駐車場の入口を特定しているため、地図情報を利用することにより、特定ドライバを特定駐車場の入口に案内することができ、一般ドライバを特定駐車場の入口に案内することを抑制することができる。すなわち、ナビゲーション装置は、ドライバの利便性を高めることができる。
【００５４】
上述した地図情報生成装置３０の各部は、コンピュータの演算処理装置等の機能として実現されてもよい。すなわち、地図情報生成装置３０の取得部３３、生成部３４、設定部３５、特定部３６及び除外部３７は、コンピュータの演算処理装置等による、取得機能、生成機能、設定機能、特定機能及び除外機能としてそれぞれ実現されてもよい。
地図情報生成プログラムは、上述した各機能をコンピュータに実現させることができる。地図情報生成プログラムは、外部メモリ又は光ディスク等の、コンピュータで読み取り可能な非一時的な記録媒体に記録されていてもよい。
また、上述したように、地図情報生成装置３０の各部は、コンピュータの演算処理装置等で実現されもよい。その演算処理装置等は、例えば、集積回路等によって構成される。このため、地図情報生成装置３０の各部は、演算処理装置等を構成する回路として実現されてもよい。すなわち、地図情報生成装置３０の取得部３３、生成部３４、設定部３５、特定部３６及び除外部３７は、図６に示すように、コンピュータの演算処理装置等を構成する、取得回路３３ａ、生成回路３４ａ、設定回路３５ａ、特定回路３６ａ及び除外回路３７ａとして実現されてもよい。
また、地図情報生成装置３０の通信部３１及び記憶部３２は、例えば、集積回路等によって構成されることにより、図６に示すように、通信回路３１ａ及び記憶回路３２ａとして実現されてもよい。また、地図情報生成装置３０の通信部３１及び記憶部３２は、例えば、複数のデバイスによって構成されることにより、通信装置及び記憶装置として構成されてもよい。
【符号の説明】
【００５５】
１  地図情報生成システム
１０  車両
２０  サーバ
３０  地図情報生成装置
３１  通信部
３２  記憶部
３３  取得部
３４  生成部
３５  設定部
３６  特定部
３７  除外部
Ｌ  道路を示すリンク
Ｇ２，Ｇ４，Ｇ５  離脱地点群
Ｐ１〜Ｐ８  離脱地点
【図１】
2020204532.tif 000003
【図２】
2020204532.tif 000004
【図３】
2020204532.tif 000005
【図４】
2020204532.tif 000006
【図５】
2020204532.tif 000007
【図６】
2020204532.tif 000008